(57)【要約】【課題】操作部をチルト可能とすると共に、チルトした操作部が操作者や他の人の邪魔にならないようにすること。【解決手段】画像形成装置１００本体の正面側に取り付けられ、平板状に形成されてその上部に操作ボタンが配置された操作部２００であって、前記操作部２００は、操作部２００を手前側を下方に、操作部２００奥側を上方に移動するチルト動作をなすチルト機構部３００を介して画像形成装置１００に取り付けられおり、前記操作部２００は、そのチルト動作に際して操作部の移動軌跡が画像形成装置１００本体の最前面より奥側に位置してチルト動作をさせる。【選択図】図２
2007098752.tif 000002
【特許請求の範囲】
【請求項１】
画像形成装置本体の正面側に取り付けられ、平板状に形成された操作部であって、
前記操作部は、操作部をチルト動作可能に支持するチルト機構部を介して画像形成装置本体に取り付けられおり、
前記操作部は、そのチルト動作に際して操作部の移動軌跡が画像形成装置本体の最前面より奥側に位置してチルト動作をさせることを特徴とする画像形成装置の操作部。
【請求項２】
前記チルト機構部には、前記操作部を支持すると共に、前記画像形成装置本体に軸支された支持アームを備えることを特徴とする画像形成装置の操作部。
【請求項３】
前記支持アームは、前記操作部の両端に配置されていることを特徴とする請求項１または２の画像形成装置の操作部。
【請求項４】
前記チルト機構部には、前記支持アームの支持位置を固定するロック装置を有することを特徴とする請求項１ないし３のいずれかの画像形成装置の操作部。
【請求項５】
前記支持アームには複数個所に係止部が形成され、ロック装置は前記係止部に挿抜可能な固定部材を備えることを特徴とする請求項１ないし４のいずれかの画像形成装置の操作部。
【請求項６】
前記支持アームはチルト機構部の両側に設けられ、前記固定部材は、上記両側に設けられた支持アームの係止溝に連動して挿抜されることを特徴とする請求項１ないし５のいずれかの画像形成装置の操作部。
【請求項７】
前記支持アームは、複数個所に前記係止部である溝部が形成された弧状部材を備えることを特徴とする請求項２ないし６のいずれかの画像形成装置の操作部。
【請求項８】
前記固定部材は画像形成装置本体の外側から操作できることを特徴とする請求項５ないし７のいずれかの画像形成装置の操作部。
【請求項９】
請求項１ないし８のいずれかの操作部を備えたことを特徴とする画像形成装置。
【請求項１０】
ジェルインクジェット型の画像形成部を備えたことを特徴とする請求項９の画像形成装置。
【発明の詳細な説明】
【技術分野】
【０００１】
本発明は、画像形成装置の操作及び画像形成装置に係り、特に画像形成装置本体の正面側に取り付けられ、平板状に形成されてその上部に操作ボタンが配置された操作部及びこの操作部を備えた画像形成装置に関する。
に関する。
【背景技術】
【０００２】
画像形成装置として、スキャナ、コピー、プリンタを兼ねた複合装置があり、このような複合装置として上部に画像読取部、下部に作像部及び給紙部を備え、画像読取部と作像部との間に画像形成した用紙を排出するいわゆる胴内排紙型のものがある。このような装置において、画像形成装置の操作を行う操作部は、画像形成装置の正面上方即ち画像読取部の手前側に配置されるのが一般的である。
【０００３】
このような操作部には、コピー、プリントの選択、相手先ファックス番号、プリント枚数その他の捜査情報を入力する操作ボタンや、画像形成装置の状態を文字記号等で表示する表示手段が配置されている。
【０００４】
このような、操作部は操作者の操作の状態即ち、操作者の体型、操作者の姿勢にかかわらず視認操作し易いものが求められている。
【０００５】
特許文献１には、操作パネル等の機器搭載体の角度を、部品や機構を別途に備えずに低コストで可変させるため、合成樹脂材等からなる成型品のベース体と機器搭載体で構成し、ベース体の搭載部は、円弧面状の背面部と三角形状の一対の側面部を有する。背面部に、機器搭載体の固定部を設けネジ止め可能とし、機器搭載体は、円弧面状の背面部と、三角形状の一対の側面部と、表示パネル等を搭載する上面部とからなり、下方を開口させた蓋状のものとすると共に、側面部にはピンを設け、ベース体の側面部ピン支持部に嵌着可能として、機器搭載体をベース体の搭載部に対して上下方向で回動可能に支持し、所定の高さ位置で固定可能とするものが記載されている。
【特許文献１】特開２００５−８５９３６号公報参照
【発明の開示】
【発明が解決しようとする課題】
【０００６】
ところで、このように操作部をチルト可能とした装置にあっては、操作部をチルトさせた状態において、装置本体の外側に突出して装置の操作の邪魔になったり、装置の近くを通り過ぎる人に接触してしまったりすることがある。
【０００７】
そこで、本発明は、操作部をチルト可能とすると共に、チルトした操作部が操作者や他の人の邪魔にならない操作部及び操作部を備えた画像形成装置を提供することを目的とする。
【課題を解決するための手段】
【０００８】
請求項１の発明は、画像形成装置本体の正面側に取り付けられ、平板状に形成された操作部であって、前記操作部は、操作部をチルト動作可能に支持するチルト機構部を介して画像形成装置本体に取り付けられおり、前記操作部は、そのチルト動作に際して操作部の移動軌跡が画像形成装置本体の最前面より奥側に位置してチルト動作をさせることを特徴とする画像形成装置の操作部である。
【０００９】
請求項２の発明は、請求項１の画像形成装置の操作部において、前記チルト機構部には、前記操作部を支持すると共に、前記画像形成装置本体に軸支された支持アームを備えることを特徴とする。
【００１０】
請求項３の発明は、請求項１または２の画像形成装置の操作部において、前記支持アームは、前記操作部の両端に配置されていることを特徴とする。
【００１１】
請求項４の発明は、請求項１ないし３のいずれかの画像形成装置の操作部において、前記チルト機構部には、前記支持アームの支持位置を固定するロック装置を有することを特徴とする。
【００１２】
請求項５の発明は、請求項１ないし４のいずれかの画像形成装置の操作部において、前記支持アームには複数個所に係止部が形成され、ロック装置は前記係止部に挿抜可能な固定部材を備えることを特徴とする。
【００１３】
請求項６の発明は、請求項１ないし５のいずれかの画像形成装置の操作部において、前記支持アームはチルト機構部の両側に設けられ、前記固定部材は、上記両側に設けられた支持アームの係止溝に連動して挿抜されることを特徴とする。
【００１４】
請求項７の発明は、請求項２ないし６のいずれかの画像形成装置の操作部において、前記支持アームは、複数個所に前記係止部である溝部が形成された弧状部材を備えることを特徴とする。
【００１５】
請求項８の発明は、請求項５ないし７のいずれかの画像形成装置の操作部において、前記固定部材は画像形成装置本体の外側から操作できることを特徴とする。
【００１６】
請求項９の発明は、請求項１ないし８のいずれかの操作部を備えたことを特徴とする画像形成装置である。
【００１７】
請求項１０の発明は、請求項９の画像形成装置において、ジェルインクジェット型の画像形成部を備えたことを特徴とする。
【発明の効果】
【００１８】
本発明に係る画像形成装置の操作部及び画像形成装置によれば、操作部をチルト可能としてどのような操作者にも楽な状態で操作することができるようにすると共に、チルト動作した操作部が操作者や他の人の邪魔にならないという効果がある。
【発明を実施するための最良の形態】
【００１９】
以下本発明を実施するための最良の形態としての実施例を図面に基づいて説明する。
【実施例】
【００２０】
図１は実施例に係る画像形成装置の全体構成を示す斜視図、図２は図１に示した画像形装置の操作部を示す拡大斜視図、図３は図１に示した画像形成装置の操作部を示す拡大側面図、図４は図１に示した画像形成装置の操作部の機構を示す斜視図、図５は図１に示した画像形成装置の操作部の機構を示す斜視図、図６は図１に示した画像形成装置の操作部の機構を示す斜視図、図７は図１に示した画像形成装置の操作部の機構を示す斜視図、図８は図１に示した画像形成装置の操作部の機構を示す斜視図、図９は図１に示した画像形成装置の操作部の機構を示す拡大斜視図である。
【００２１】
画像形成装置１００は、ジェルインクジェット方式の画像形成装置を備えた作像部１１０と、この作像部１１０の下方に配置され４つの給紙トレイ１２１、１２２，１２３，１２４を備えた給紙部１２０と、前記作像部１１０の上方に設けられた画像読取部１３０と、前記作像部１１０と画像読取部１３０との間に設けられた排紙部１４０とを備える。作像部１１０と画像読取部１３０とは、作像部１１０及び画像読取部１３０の左側及び奥側の２辺を連結する連結部１５０と、手前右側を連結する連結部１６０とを備える。
【００２２】
本例において、操作部２００は、作像部１１０の上方であって、画像読取部１３０の手前側上部に配置されている。
【００２３】
本例では、操作部２００は、図２及び図３に示すように、画像読取部１３０にチルト機構部３００を介してその操作面が立ち上がる方向にチルト可能に取り付けられている。そして、この操作部２００は、そのチルト動作に際して操作部の移動軌跡が画像形成装置本体の最前面（図２中仮装線Ｌで示した）より奥側に位置するようになっている。
【００２４】
本例ではチルト機構部３００は、図４ないし図７に示すように、操作部２００をその両端で画像読取部１３０のフレーム部材１３１、３１２に回動可能に支持する軸部材３１１、３１２と、前記操作部２００の下面に取り付けられ、円弧状部材３２３，３２４の所定個所に切欠部３２５，３２６を備えた支持アーム３２１，３２２と、前記円弧状部材３２３の切欠部３２５，３２６に係合部材を挿入して位置を固定する固定部材３３０とを備える。
【００２５】
本例では、円弧状部材３２３，３２４には、それぞれその内側円周状に複数、本例では操作部２００が水平位置、中間位置、チルト位置に固定される３個所の切欠部３２５，３２６を形成している。そして、本例では、図８に示すように、この切欠部３２５，３２６に固定部材３３０のロッド３３１に形成した係止部３３２を挿入することにより円弧状部材３２３の位置を固定する。また、ロッド３３１は、図９に示すように、プッシュボタン３４０を押圧することにより移動して切欠部３２５，３２６にロッド３３１に形成した切欠部３３３が位置して、操作部２００をチルト位置変更可能な状態とする。なお、操作部２００は、支持アーム３２１の操作部取付部３２７に取付けられる。ロッド３３１はプッシュボタン３４０の押圧を解除することにより元の位置に戻り、切欠部３２５，３２６に係止部３３２が係合する位置になるよう図示しないスプリングで付勢されている。
【００２６】
従って、本例に係る画像形成装置によれば、操作部２００はプッシュボタン３４０を押すことによりチルト状態を変更することができ、操作部２００を所定個所までチルトしてプッシュボタン３４０を戻すことにより支持アーム３２１，３２２の円弧状部材３２３，３２４の切欠部３２５，３２６にロッド３３１の係止部３３２を挿入して、そのチルト位置を固定することができる。このため、操作者の操作がし易い位置に操作部２００をチルトすることができる。そして本例では、操作部２００のチルトする軌跡は、画像形成装置１００の作像部１１０及び給紙部１２０からなる装置本体の最前縁から外に出ることがないので、操作者や画像形成装置１００周辺に位置する人の邪魔になることがない。
【００２７】
なお、上記例では、チルト機構部は円弧状部材を備えた支持アームを有するものとし、円弧状部材の切欠部にロッドの係止部を係合、解除して操作部のチルト位置を固定したが、チルト機構部は他の構成を備えるものとしてもよい。
【図面の簡単な説明】
【００２８】
【図１】実施例に係る画像形成装置の全体構成を示す斜視図である。
【図２】図１に示した画像形装置の操作部を示す拡大斜視図である。
【図３】図１に示した画像形成装置の操作部を示す拡大側面図である。
【図４】図１に示した画像形成装置の操作部の機構を示す下方からの斜視図である。
【図５】図１に示した画像形成装置の操作部の機構を示す下方からの斜視図である。
【図６】図１に示した画像形成装置の操作部の機構を示す上方からの斜視図である。
【図７】図１に示した画像形成装置の操作部の機構を示す上方からの斜視図である。
【図８】図１に示した画像形成装置の操作部の機構の係合状態を示す拡大斜視図である。
【図９】図１に示した画像形成装置の操作部の機構の解除状態を示す拡大斜視図である。
【符号の説明】
【００２９】
１００・・・画像形成装置
１１０・・・作像部
１２０・・・給紙部
１２１、１２２，１２３，１２４・・・給紙トレイ
１３０・・・画像読取部
１３１、３１２・・・フレーム部材
１４０・・・排紙部
１５０・・・連結部
１６０・・・連結部
２００・・・操作部
３００・・・チルト機構部
３１１、３１２・・・軸部材
３２１，３２２・・・支持アーム
３２３，３２４・・・円弧状部材
３２５，３２６・・・切欠部
３２７・・・操作部取付部
３３０・・・固定部材
３３１・・・ロッド
３３２・・・係止部
３３３・・・切欠部
３４０・・・プッシュボタン
【図１】
2007098752.tif 000003
【図２】
2007098752.tif 000004
【図３】
2007098752.tif 000005
【図４】
2007098752.tif 000006
【図５】
2007098752.tif 000007
【図６】
2007098752.tif 000008
【図７】
2007098752.tif 000009
【図８】
2007098752.tif 000010
【図９】
2007098752.tif 000011